(57)【要約】【課題】建設廃棄物を鉄または非鉄金属の原燃料として再資源化する方法を提供する。【解決手段】建設廃棄物を破砕・選別して資源として再利用する建設廃棄物の再資源化方法であって、前記建設廃棄物を破砕して非木材系廃棄物と木材系廃棄物とに選別するリサイクル工程と、前記非木材系廃棄物を鉄または非鉄金属の原料として使用する鉄または非鉄金属の製造工程とを有することを特徴とする建設廃棄物の再資源化方法。さらに、前記リサイクル工程にて選別された木材系廃棄物をＣｒ，ＣｕおよびＡｓが注入されたＣＣＡ木材系廃棄物とそれ以外の一般木材系廃棄物とに選別する工程と、前記ＣＣＡ木材系廃棄物を熱分解して油・ガス成分を選別するガス化工程とを有することを特徴とする請求項１に記載の建設廃棄物の再資源化方法。【選択図】　　　図１
2004025085.tif 000002
【特許請求の範囲】
【請求項１】
建設廃棄物を破砕・選別して資源として再利用する建設廃棄物の再資源化方法であって、
前記建設廃棄物を破砕して非木材系廃棄物と木材系廃棄物とに選別するリサイクル工程と、前記非木材系廃棄物を鉄または非鉄金属の原料として使用する鉄または非鉄金属の製造工程とを有することを特徴とする建設廃棄物の再資源化方法。
【請求項２】
さらに、前記リサイクル工程にて選別された木材系廃棄物をＣｒ，ＣｕおよびＡｓが注入されたＣＣＡ木材系廃棄物とそれ以外の一般木材系廃棄物とに選別する工程と、前記ＣＣＡ木材系廃棄物を熱分解して油・ガス成分を選別するガス化工程とを有することを特徴とする請求項１に記載の建設廃棄物の再資源化方法。
【請求項３】
さらに、前記リサイクル工程にて発生する木材系廃棄物の副産物であるおが屑を用いて堆肥を製造する工程を有することを特徴とする請求項１または請求項２に記載の建設廃棄物の再資源化方法。
【請求項４】
前記鉄または非鉄金属の製造工程が、原料を溶解する溶解工程であることを特徴とする請求項１乃至請求項３に記載の建設廃棄物の再資源化方法。
【発明の詳細な説明】
【０００１】
【発明が属する技術分野】
本発明は、建設廃棄物を破砕・選別して資源として再利用する建設廃棄物の再資源化方法に関する。具体的には、木材系廃棄物を含む建設廃棄物を破砕・選別して資源として再利用する建設廃棄物の再資源化方法に関する。
【０００２】
【従来の技術】
近年、建設廃棄物は産業廃棄物全体の約２割、最終処分量の約４割を占め、さらには、産業廃棄物の不法投棄の９割を建設廃棄物が占めている。
一方、最終処分場残余年数は３年を下回り、逼迫してきている。
さらに、昭和４０年代以降に急増した建築物の更新期を迎えて、今後、解体処理量が急増することが予想されている。
このように増加の一途をたどる建設廃棄物をリサイクルすることが地球環境問題における重要な課題となっている。
【０００３】
しかし、従来は、特に木材系廃棄物の内、防腐・防蟻のため木材にＣＣＡ（クロム（Ｃｒ）、銅（Ｃｕ）及びヒ素（Ａｓ）化合物系木材防腐剤をいう）を注入したＣＣＡ木材系廃棄物については、一般的な焼却を行うと有害なヒ素系ガスが発生するため、埋め立て処理がなされており、資源としての再利用は十分になされていなかった。
また、多量の建設廃棄物から選別された素材毎に適正にかつ多量に消費するシステムの構築もなされていなかった。
【０００４】
建設廃棄物の選別方法に関しては、例えば、特開平７−２９００００号公報に、土砂および可燃物を含む建設廃棄物に散水して大きな可燃物を選別した後、残りの廃棄物を乾燥してから選別工程に付することにより土砂と小さな可燃物を選別する方法が開示されている。
しかし、この技術は、建設廃棄物の選別方法を提案しているだけであり、具体的な資源としての再利用方法およびその用途に応じた処理方法は検討されていなかった。
【０００５】
【発明が解決しようとする課題】
本発明は、前述のような従来技術の問題点を解決し、木材系廃棄物を含む建設廃棄物を鉄または非鉄金属の原燃料として再資源化する方法を提供することを課題とする。
【０００６】
【課題を解決するための手段】
発明者らは、前記の課題を解決するために鋭意検討を重ねた結果、建設廃棄物に適切な前処理を施すことにより、鉄または非鉄金属の原燃料として再利用する方法を見出したものであり、その要旨とするところは、特許請求の範囲に記載した通りの下記内容である。
（１）建設廃棄物を破砕・選別して資源として再利用する建設廃棄物の再資源化方法であって、
前記建設廃棄物を選別して非木材系廃棄物と木材系廃棄物とに選別するリサイクル工程と、前記非木材系廃棄物を鉄または非鉄金属の原料として使用する鉄または非鉄金属の製造工程とを有することを特徴とする建設廃棄物の再資源化方法。
【０００７】
（２）さらに、前記リサイクル工程にて選別された木材系廃棄物をＣｒ，ＣｕおよびＡｓが注入されたＣＣＡ木材系廃棄物とそれ以外の一般木材系廃棄物とに選別する工程と、前記ＣＣＡ木材系廃棄物を熱分解して油・ガス成分を選別するガス化工程とを有することを特徴とする（１）に記載の建設廃棄物の再資源化方法。
（３）さらに、前記リサイクル工程にて発生する木材系廃棄物の副産物であるおが屑を用いて堆肥を製造する工程を有することを特徴とする（１）または（２）に記載の建設廃棄物の再資源化方法。
（４）前記鉄または非鉄金属の製造工程が、原料を溶解する溶解工程であることを特徴とする（１）乃至（３）に記載の建設廃棄物の再資源化方法。
【０００８】
【発明の実施の形態】
本発明の実施の形態を、図１および図２を用いて詳細に説明する。
図１は、本発明における建設廃棄物の再資源化方法を示すフロー図である。まず、建設廃棄物は、リサイクル工程により破砕・選別され、非木材系廃棄物と木材系廃棄物とに選別される。
木材とそれ以外では、資源としての再利用する用途が異なるうえ、木材については、後述するＣＣＡ木材系廃棄物とそれ以外の一般木材系廃棄物とを選別する必要があるからである。
【０００９】
ここに、建設廃棄物とは、ビルや家屋などの建設・解体現場から発生する木材系廃棄物を含む産業廃棄物、街路樹などの剪定時に発生する廃棄物（剪定材）等をいう。
次に、選別された非木材系廃棄物を鉄または非鉄金属の原料として使用する。非木材系廃棄物には、コンクリート片や金属・ガラスなどが含まれており、鉄または非鉄金属の原料として利用できるからである。
鉄または非鉄金属の原料として金属系産物を使用するためには、原料を溶解することで前処理工程を簡略化することができるため、転炉などによる溶解工程にて使用することが好ましい。
【００１０】
また、コンクリート系産物は、製鉄スラグと固体混合して路盤材にすることが好ましい。この場合、路盤材の規格となる粒度（たとえば、２５ｍｍ以下）にコンクリート系産物の粒度をそろえておくと、配合しやすくなる。
さらに、ガラス系産物は製鉄スラグへ溶融させ路盤材として再資源化することが好ましい。特に、高温の炉から排出された溶融スラグとガラスとを混合せしめ溶融させる場合には、ガラスの粒度を５ｍｍ以下にすると、スラグへの溶融が速やかになり、均質なスラグを得ることができる。
このリサイクル工程で選別された木材系廃棄物は、Ｃｒ，ＣｕおよびＡｓが注入されたＣＣＡ木材系廃棄物とそれ以外の一般木材系廃棄物とに選別される。
一般木材系廃棄物は燃料として直接利用できるが、防腐・防蟻のためのＣＣＡ処理がなされているＣＣＡ木材系廃棄物は有毒な砒素を含むので、熱分解して油・ガス成分を選別するガス化処理により無害化する必要があるからである。
【００１１】
なお、前記リサイクル工程において選別された木材系廃棄物から副産物として発生するおが屑は、堆肥化技術等と組合せて堆肥を製造することが、廃棄物を一切出さないゼロエミッション化を達成する観点から好ましい。
本発明により、以下の効果が実現できる。
【００１２】
１）廃棄物を鉄または非鉄金属の原燃料、路盤材等として１００％使用することにより、従来は埋め立てや焼却処分されていた廃棄物をゼロにすることができる。
２）廃棄物から再生する燃料を鉄または非鉄金属の製造プロセスに使用する燃料や、廃棄物の処理プロセスに使用する自家発電用の燃料として使えるので製造コストを低減することができる。
３）廃棄物を鉄または非鉄金属の溶解炉に投入することにより、廃棄物の処理用の溶融炉を新たに設置する必要がないため、廃棄物処理のための設備費を安価にすることができる。
【００１３】
図２は、本発明における建設廃棄物の再資源化方法の製鉄工程における実施形態を示す図である。
まず、建設廃棄物はリサイクル工場にて、細かく破砕されて比重選別処理等により、土砂、コンクリート片、金属、ガラス、木材系廃棄物などに選別される。
木材系廃棄物は、成分値を測定することによりＣＣＡ処理の有無を検査した後、ＣＣＡ木材系廃棄物と非ＣＣＡ木材系廃棄物とに選別する。
【００１４】
選別されたこれらの素材のうち、コンクリート片、金属、ガラス、一般木材系は製鉄工程に送られて、原燃料として使用できる。
一方、土砂系廃棄物は、そのまま土地造成等へ適用できる。
残ったＣＣＡ木材系廃棄物は、熱分解処理工場に送られて、約４００〜６００℃にて乾留され、木材中のＣＣＡ成分はそのまま残し、その他の成分は熱分解されて、油・ガス成分が選別され、改質された後、製鉄所の発電所等の製鉄プロセスや廃棄物の処理に必要な燃料として使用できる。
熱分解で残った素材は、ＣＣＡ成分を高度に含有した残さであり、非鉄原料として使用できる。
【００１５】
また、一般木材系の再生用途としては、チップ化加工してパルプ原料やボード原料とする方式も適用できる。
さらに、このチップ化処理で生成する副産物のおが屑は、食品廃棄物とともに堆肥化原料として利用し、堆肥やメタンの原料とすることもできる。
このように、建設廃棄物の処理全体プロセスとして不要な廃棄物を一切出さないゼロエミッション化を図ることができる。
このように、本発明によれば、建設廃棄物がほぼ１００％再生され利用でき、従来のように埋め立て処理の必要がなく、地球環境の保護への貢献度が極めて高い。
【００１６】
【発明の効果】
本発明によれば、建設廃棄物に適切な前処理を施すことにより、鉄または非鉄金属の原燃料として再利用する建設廃棄物の再資源化方法を提供することができ、具体的には、以下の産業上有用な著しい効果を奏する。
【００１７】
１）廃棄物を鉄または非鉄金属の原燃料、路盤材等として１００％使用することにより、従来は埋め立てや焼却処分されていた廃棄物をゼロにすることができる。
２）廃棄物から再生する燃料を鉄または非鉄金属の製造プロセスに使用する燃料や、廃棄物の処理プロセスに使用する自家発電用の燃料として使えるので製造コストを低減することができる。
３）廃棄物を鉄または非鉄金属の溶解炉に投入することにより、廃棄物の処理用の溶融炉を新たに設置する必要がないため、廃棄物処理のための設備費を安価にすることができる。
【図面の簡単な説明】
【図１】本発明における建設廃棄物の再資源化方法を示すフロー図である。
【図２】本発明における建設廃棄物の再資源化方法の実施形態を示す図である。
【図１】
2004025085.tif 000003
【図２】
2004025085.tif 000004